(57)【要約】提供されるものは、データ伝送方法およびデータ伝送装置である。本方法は、複数のチャネルのチャネル伝送品質の測定結果を取得することであって、データ複製伝送機能が、複数のチャネル上に構成され、複数のチャネル上での端末との複数の接続の確立を示すために使用され、複数の接続は、複数のチャネル上での複製されたデータの同時伝送のために使用される、ことと、取得された測定結果に従って、データ複製伝送機能をアクティブ化させるかどうかを判定することと、判定結果に従って、複数のチャネル上で端末とのデータ伝送を実施することとを含む。データ伝送が複製伝送様式で実施されると、伝送リソース消費が大きくなるという、関連技術においける問題が、解決され、リンク伝送品質を改良し、伝送リソース消費を低減させる効果が、達成される。
2021503807.tif 000002
【特許請求の範囲】
【請求項１】
データ伝送方法であって、
複数のチャネルのチャネル伝送品質の測定結果を取得することであって、データ複製伝送機能が、前記複数のチャネル上に構成され、前記複数のチャネル上での端末との複数の接続の確立を示すために使用され、前記複数の接続は、前記複数のチャネル上での複製されたデータの同時伝送のために使用される、ことと、
前記取得された測定結果に従って、前記データ複製伝送機能をアクティブ化させるかどうかを判定することと、
判定結果に従って、前記複数のチャネル上で前記端末とのデータ伝送を実施することと
を含む、データ伝送方法。
【請求項２】
前記判定結果に従って、前記複数のチャネル上で前記端末との前記データ伝送を実施することは、前記判定結果が、前記データ複製伝送機能がアクティブ化されることを示す場合、前記端末との前記複製されたデータの伝送を、前記複数のチャネルに対応する前記複数の接続上で実施することを含む、請求項１に記載のデータ伝送方法。
【請求項３】
前記判定結果に従って、前記複数のチャネル上で前記端末との前記データ伝送を実施することは、前記判定結果が、前記データ複製伝送機能がアクティブ化されないことを示す場合、前記複数のチャネルから、前記端末との前記データ伝送を実施するためのチャネルを判定することを含む、請求項１に記載のデータ伝送方法。
【請求項４】
前記判定結果が、前記データ複製伝送機能がアクティブ化されないことを示す場合、前記複数のチャネルから、前記端末との前記データ伝送を実施するための前記チャネルを判定することは、
チャネル伝送品質が規定された閾値より高い、第１のチャネルを取得することと、前記第１のチャネルに従って、前記端末との前記データ伝送を実施するためのチャネルを判定することと、または
予め規定された第２のチャネルを取得することと、前記第２のチャネルを、前記端末との前記データ伝送を実施するための前記チャネルとして判定することと
を含む、請求項３に記載のデータ伝送方法。
【請求項５】
前記取得された測定結果に従って、前記データ複製伝送機能をアクティブ化させるかどうかを判定することは、
前記測定結果が、前記複数のチャネルの全てのチャネル伝送品質が、事前設定された条件を満たすことを示す場合、前記データ複製伝送機能をアクティブ化させるように判定すること、または
前記測定結果が、前記複数のチャネルのうちの少なくとも１つのチャネル伝送品質が、前記事前設定された条件を満たさないことを示す場合、前記データ複製伝送機能をアクティブ化させないように判定すること
を含み、
前記事前設定された条件は、前記チャネル伝送品質が、第１の事前設定された閾値より高く、かつ第２の事前設定された閾値より低い条件を含み、前記第２の事前設定された閾値は、前記第１の事前設定された閾値を上回る、請求項１に記載のデータ伝送方法。
【請求項６】
前記複数のチャネルのチャネル伝送品質の測定結果を取得することは、
集中型ユニット（ＣＵ）によって、１つ以上の分散型ユニット（ＤＵ）によって報告される、前記測定結果を受信することであって、前記測定結果は、前記１つ以上のＤＵが、前記複数のチャネルのチャネル伝送品質を測定した後に取得される、こと、または
ＤＵによって、前記複数のチャネルのチャネル伝送品質を測定することと、前記ＤＵによって、前記測定結果を取得することと
を含む、請求項１に記載のデータ伝送方法。
【請求項７】
前記取得された測定結果に従って、前記データ複製伝送機能をアクティブ化させるかどうかを判定することの後に、前記データ伝送方法はさらに、
集中型ユニット（ＣＵ）が前記判定結果を取得した後、前記ＣＵによって、前記データ複製伝送機能をアクティブ化させるかどうかを示すための第１のインジケーションメッセージを、分散型ユニット（ＤＵ）に送信すること、または
ＤＵが前記判定結果を取得した後、前記ＤＵによって、前記データ複製伝送機能をアクティブ化させるかどうかを示すための第２のインジケーションメッセージを、ＣＵに送信すること
を含む、請求項１に記載のデータ伝送方法。
【請求項８】
各測定結果は、チャネル品質表示（ＣＱＩ）測定結果と、サウンディング基準信号（ＳＲＳ）測定結果と、ダウンリンクバッファデータ伝送遅延測定結果と、無線リンク制御（ＲＬＣ）再伝送数測定結果と、ハイブリッド自動再送要求（ＨＡＲＱ）再伝送数測定結果とのうちの少なくとも１つを含む、請求項１〜７のいずれか１項に記載のデータ伝送方法。
【請求項９】
データ伝送装置であって、
複数のチャネルのチャネル伝送品質の測定結果を取得するように構成される、取得モジュールであって、データ複製伝送機能が、前記複数のチャネル上に構成され、前記複数のチャネル上での端末との複数の接続の確立を示すために使用され、前記複数の接続は、前記複数のチャネル上での複製されたデータの同時伝送のために使用される、取得モジュールと、
前記取得された測定結果に従って、前記データ複製伝送機能をアクティブ化させるかどうかを判定するように構成される、判定モジュールと、
前記判定モジュールの判定結果に従って、前記複数のチャネル上で前記端末とのデータ伝送を実施するように構成される、伝送モジュールと
を備える、データ伝送装置。
【請求項１０】
前記伝送モジュールは、前記判定結果が、前記データ複製伝送機能がアクティブ化されることを示す場合、前記端末との前記複製されたデータの伝送を、前記複数のチャネルに対応する前記複数の接続上で実施するように構成される、第１の伝送ユニットを備える、請求項９に記載のデータ伝送装置。
【請求項１１】
前記伝送モジュールは、前記判定結果が、前記データ複製伝送機能がアクティブ化されないことを示す場合、前記複数のチャネルから、前記端末との前記データ伝送を実施するためのチャネルを判定するように構成される、第２の伝送ユニットを備える、請求項９に記載のデータ伝送装置。
【請求項１２】
前記第２の伝送ユニットはさらに、前記判定結果が、前記データ複製伝送機能がアクティブ化されないことを示す場合、チャネル伝送品質が規定された閾値より高い、第１のチャネルを取得し、前記第１のチャネルに従って、前記端末との前記データ伝送を実施するためのチャネルを判定する、または予め規定された第２のチャネルを取得し、前記第２のチャネルを、前記端末との前記データ伝送を実施するための前記チャネルとして判定するように構成される、請求項１１に記載のデータ伝送装置。
【請求項１３】
前記判定モジュールは、前記測定結果が、前記複数のチャネルの全てのチャネル伝送品質が事前設定された条件を満たすことを示す場合、前記データ複製伝送機能をアクティブ化させるように判定する、または前記測定結果が、前記複数のチャネルのうちの少なくとも１つのチャネル伝送品質が前記事前設定された条件を満たさないことを示す場合、前記データ複製伝送機能をアクティブ化させないように判定するように構成される、判定ユニットを備え、前記事前設定された条件は、前記チャネル伝送品質が、第１の事前設定された閾値より高く、かつ第２の事前設定された閾値より低い、条件を含み、前記第２の事前設定された閾値は、前記第１の事前設定された閾値を上回る、請求項９に記載のデータ伝送装置。
【請求項１４】
前記取得モジュールは、
１つ以上の分散型ユニット（ＤＵ）によって報告される、前記測定結果を受信するように構成される、受信ユニットであって、前記測定結果は、前記１つ以上のＤＵが前記複数のチャネルのチャネル伝送品質を測定した後に取得される、受信ユニット、または
前記複数のチャネルのチャネル伝送品質を測定するように構成される、測定ユニットと、前記測定結果を取得するように構成される、取得ユニットと
を備える、請求項９に記載のデータ伝送装置。
【請求項１５】
前記判定結果が取得された後、前記データ複製伝送機能をアクティブ化させるかどうかを示すための第１のインジケーションメッセージを、分散型ユニット（ＤＵ）に送信する、または前記判定結果が取得された後、前記データ複製伝送機能をアクティブ化させるかどうかを示すための第２のインジケーションメッセージを、集中型ユニット（ＣＵ）に送信するように構成される、送信モジュールをさらに備える、請求項９に記載のデータ伝送装置。
【請求項１６】
集中型ユニット（ＣＵ）であって、請求項９〜１３のいずれか１項に記載のデータ伝送装置を備える、集中型ユニット（ＣＵ）。
【請求項１７】
１つ以上の分散型ユニット（ＤＵ）によって報告される、前記測定結果を受信するように構成される、受信ユニットをさらに備え、前記測定結果は、前記１つ以上のＤＵが前記複数のチャネルのチャネル伝送品質を測定した後に取得される、請求項１６に記載のＣＵ。
【請求項１８】
前記判定結果が取得された後、前記データ複製伝送機能をアクティブ化させるかどうかを示すためのインジケーションメッセージを、分散型ユニット（ＤＵ）に送信するように構成される、送信モジュールをさらに備える、請求項１６に記載のＣＵ。
【請求項１９】
分散型ユニット（ＤＵ）であって、請求項９〜１３のいずれか１項に記載のデータ伝送装置を備える、分散型ユニット（ＤＵ）。
【請求項２０】
前記複数のチャネルのチャネル伝送品質を測定するように構成される、測定ユニットと、
前記測定結果を取得するように構成される、取得ユニットと
をさらに備える、請求項１９に記載のＤＵ。
【請求項２１】
前記判定結果が取得された後、前記データ複製伝送機能をアクティブ化させるかどうかを示すためのインジケーションメッセージを、集中型ユニット（ＣＵ）に送信するように構成される、送信モジュールをさらに備える、請求項１９に記載のＤＵ。
【請求項２２】
記憶媒体であって、実行されているとき、請求項１〜８のいずれか１項に記載のデータ伝送方法を実施する、記憶されたプログラムを含む、記憶媒体。
【請求項２３】
プロセッサであって、実行されているとき、請求項１〜８のいずれか１項に記載のデータ伝送方法を実施する、プログラムを実行するように構成される、プロセッサ。
【発明の詳細な説明】
【技術分野】
【０００１】
本開示は、通信分野に関し、より具体的には、データ伝送方法およびデータ伝送装置に関する。
【背景技術】
【０００２】
第５世代モバイル通信技術（５Ｇ）ネットワークアーキテクチャは、革新およびネットワーキングの柔軟性を有し、５Ｇネットワーク内の無線アクセスネットワーク側上の基地局が、２つの機能性エンティティ、すなわち、集中型ユニット（ＣＵ）と、分散型ユニット（ＤＵ）とに分離されている。１つの基地局が、１つのＣＵと、１つ以上のＤＵとを含む。ＣＵ／ＤＵ分離ネットワークアーキテクチャでは、遅延の影響を受けないネットワーク機能が、第１のネットワーク要素（例えば、ＣＵ）の中に設置され、遅延の影響を受けやすいネットワーク機能が、第２のネットワーク要素（例えば、ＤＵ）の中に設置される。第１のネットワーク要素および第２のネットワーク要素は、図１に示されるような、理想的ならびに／もしくは非理想的フロントホールネットワークを通して伝送を実施する。
【０００３】
既存のＣＵ／ＤＵ分離アーキテクチャでは、（図２に示されるような）ＣＵ／ＤＵ上位層分離のソリューションは、パケットデータ収束プロトコル（ＰＤＣＰ）層およびＰＤＣＰ層の上方の層をＣＵの中に設置すること、ならびに無線リンク制御（ＲＬＣ）層およびＲＬＣ層の下方の層をＤＵの中に設置することである。ＣＵ／ＤＵアーキテクチャでは、端末が、キャリアアグリゲーション様式で、１つのＤＵの中に複数のキャリアとの複数の接続を確立し得る、または１つのＣＵ下で複数のＤＵとの複数の接続を確立し得る。データ伝送の信頼性を改良するために、ＣＵは、端末にトラフィック保有データを送信するときに、同一のデータの複製物を異なる接続に送信し得る。故に、端末が、ＣＵにトラフィック保有データを送信するとき、端末は、異なる接続に同一のデータの複製物を送信し得る。そのようなタイプのデータ伝送は、複製伝送と呼ばれる。このように、端末が、１つのリンク上で、ネットワーク側によって送信されるデータを受信しない場合でも、端末はまた、別のリンク上で複製されたデータを受信し得（ネットワーク側は、類似する方法で、端末によって送信されるデータを受信する）、これは、端末によるトラフィックデータの受信の信頼性を大いに改良し、パケット損失率を低減させることができる。
【０００４】
ダウンリンクデータ伝送は、複製伝送を例証するためのある実施例として見なされる。
【０００５】
図３に示されるように、端末は、キャリアアグリゲーション様式で、１つのＤＵの中に複数のキャリアとの複数の接続を確立する。端末のトラフィックは、ＣＵとＤＵとの間に確立される、２つのデータ伝送チャネル上に保有される。図３では、２つのＦ１データ伝送チャネルが、提供され、ＣＵは、複製されたデータ（図３のＰＤＣＰプロトコルデータユニット１（ＰＤＵ１））を２つのデータ伝送チャネルに送信する。データが受信された後、ＤＵは、データを、異なる伝送チャネル上で異なる論理チャネルを通して端末に送信する。図３の無線リソース制御（ＲＲＣ）、ＰＤＣＰ、および同等物はそれぞれ、図２の新しい無線（ＮＲ）ＲＲＣ、ＮＲ  ＰＤＣＰ、ならびに同等物に対応する。
【０００６】
図４に示されるように、端末は、多ＤＵ接続様式で、１つのＣＵ下で複数のＤＵとの複数の接続を確立する。ＣＵは、個別のＦ１データチャネルを通して、各異なるＤＵに接続される。ＣＵは、複製されたデータ（図４のＰＤＣＰ  ＰＤＵ１）を２つのＤＵに送信する。データが受信された後、ＤＵは、端末にデータを送信する。
【０００７】
しかしながら、関連技術において、データ伝送が複製伝送様式で実施されると、伝送リソース消費が大きくなるという問題が、存在する。
【発明の概要】
【発明が解決しようとする課題】
【０００８】
本開示の実施形態は、少なくとも、データ伝送が複製伝送様式で実施されると、伝送リソース消費が大きくなるという、関連技術における問題を解決するための、データ伝送方法およびデータ伝送装置を提供する。
【課題を解決するための手段】
【０００９】
本開示のある実施形態は、データ伝送方法を提供する。データ伝送方法は、複数のチャネルのチャネル伝送品質の測定結果を取得することであって、データ複製伝送機能が、複数のチャネル上に構成され、複数のチャネル上での端末との複数の接続の確立を示すために使用され、複数の接続は、複数のチャネル上での複製されたデータの同時伝送のために使用される、ことと、取得された測定結果に従って、データ複製伝送機能をアクティブ化させるかどうかを判定することと、判定結果に従って、複数のチャネル上で端末とのデータ伝送を実施することとを含む。
【００１０】
本開示のある実施形態は、データ伝送装置を提供する。データ伝送装置は、複数のチャネルのチャネル伝送品質の測定結果を取得するように配列される、取得モジュールであって、データ複製伝送機能が、複数のチャネル上に構成され、複数のチャネル上での端末との複数の接続の確立を示すために使用され、複数の接続は、複数のチャネル上での複製されたデータの同時伝送のために使用される、取得モジュールと、取得された測定結果に従って、データ複製伝送機能をアクティブ化させるかどうかを判定するように配列される、判定モジュールと、判定モジュールの判定結果に従って、複数のチャネル上で端末とのデータ伝送を実施するように配列される、伝送モジュールとを含む。
【００１１】
本開示のある実施形態はさらに、ＣＵを提供する。ＣＵは、上記に説明される任意のデータ伝送装置を含む。
【００１２】
本開示のある実施形態はさらに、ＤＵを提供する。ＤＵは、上記に説明される任意のデータ伝送装置を含む。
【００１３】
本開示のある実施形態はさらに、記憶媒体を提供する。記憶媒体は、実行されているとき、上記に説明される任意のデータ伝送方法を実施する、記憶されたプログラムを含む。
【００１４】
本開示のある実施形態はさらに、プロセッサを提供する。プロセッサは、実行されているとき、上記に説明される任意のデータ伝送方法を実施する、プログラムを実行するように配列される。
【００１５】
本開示を通して、データ複製伝送機能は、複数のチャネル上に構成され、データ複製伝送機能が必要なときにアクティブ化されるように、複数のチャネルのチャネル伝送品質の測定結果に従って、データ複製伝送機能をアクティブ化させるかどうかが判定される。したがって、リンク伝送品質は、保証され、伝送リソースの浪費が、同時に回避される。したがって、データ伝送が複製伝送様式で実施されると、伝送リソース消費が大きくなるという、関連技術における問題が、解決され得、リンク伝送品質を改良し、伝送リソース消費を低減させる効果が、達成される。
【図面の簡単な説明】
【００１６】
本明細書に説明される図面は、本開示のさらなる理解を提供し、本願の一部を形成するために使用される。本開示におけるその例示的実施形態および説明は、本開示を説明するために使用され、本開示をいかなる不適切な方法においても限定するものではない。
【００１７】
【図１】図１は、関連技術における、第１のネットワーク要素と第２のネットワーク要素との間のインターフェースの概略図である。
【図２】図２は、関連技術における、ＣＵ／ＤＵ上位層分離のソリューションの概略図である。
【図３】図３は、関連技術における、キャリアアグリゲーション様式での複製伝送の概略図である。
【図４】図４は、関連技術における、１つのＣＵ下での複数のＤＵとの接続に基づく、複製伝送の概略図である。
【図５】図５は、本開示のある実施形態による、データ伝送方法に関するＣＵのハードウェア構造のブロック図である。
【図６】図６は、本開示のある実施形態による、データ伝送方法のフローチャートである。
【図７】図７は、本開示の好ましい実施形態による、ＤＵダウンリンクチャネル品質測定装置の概略図である。
【図８】図８は、本開示の好ましい実施形態による、１つのＤＵとの複数の接続に基づく、複製伝送のフローチャート１である。
【図９】図９は、本開示の好ましい実施形態による、１つのＤＵとの複数の接続に基づく、複製伝送のフローチャート２である。
【図１０】図１０は、本開示の好ましい実施形態による、１つのＣＵ下での複数のＤＵとの複数の接続に基づく、複製伝送のフローチャートである。
【図１１】図１１は、本開示のある実施形態による、データ伝送装置の構造のブロック図１である。
【図１２】図１２は、本開示のある実施形態による、データ伝送装置の構造のブロック図２である。
【図１３】図１３は、本開示のある実施形態による、ＣＵの構造のブロック図である。
【図１４】図１４は、本開示のある実施形態による、ＤＵの構造のブロック図である。
【発明を実施するための形態】
【００１８】
本開示は、以下において、図面を参照し、実施形態と併せて詳細に説明されるであろう。不一致が生じていない場合、本願におけるその中の実施形態および特徴は、相互と組み合わせられ得ることに留意されたい。
【００１９】
本開示の説明、請求項、および上記の図面における、用語「第１の」、「第２の」、ならびに同等物は、類似する物体を区別するために使用され、必ずしも特定の順序またはシーケンスを説明するために使用されるものではないことに留意されたい。
【００２０】
実施形態１
本願の実施形態１によって提供される方法を対象とする実施形態は、ＣＵ、ＤＵ、または他の類似するコンピューティング装置において実行され得る。モバイル端末によって実行されるべき方法を実施例として取り上げると、図５は、本開示のある実施形態による、データ伝送方法に関するＣＵのハードウェア構造のブロック図である。図５に示されるように、ＣＵ５０は、１つ以上の（１つのみが、図に示されている）プロセッサ５２（プロセッサ５２は、限定ではないが、マイクロコントローラユニット（ＭＣＵ）等のマイクロプロセッサ、フィールドプログラマブルゲートアレイ（ＦＰＧＡ）等のプログラマブル論理デバイス、もしくは他の処理装置を含み得る）と、データを記憶するために使用される、メモリ５４と、通信機能を実装するために使用される、伝送装置５６とを含んでもよい。図５に示される構造は、例証的にすぎず、上記に説明される電子装置の構造を限定するように意図されるものではないことが、当業者によって理解されるはずである。例えば、ＣＵ５０は、図５に示される構成要素より多い、または少ない構成要素を含んでもよい、もしくは図５に示される構成と異なる構成を有してもよい。
【００２１】
メモリ５４は、本開示の実施形態におけるデータ伝送方法に対応するプログラム命令／モジュール等の、アプリケーションソフトウェアのソフトウェアプログラムおよびモジュールを記憶するように構成されてもよい。１つ以上のプロセッサ５２は、メモリ５４の中に記憶されるソフトウェアプログラムおよびモジュールを実行し、機能性アプリケションならびにデータ処理を実施する、すなわち、上記に説明される方法を実装する。メモリ５４は、高速ランダムアクセスメモリを含んでもよい、または１つ以上の磁気記憶装置、フラッシュメモリ、もしくは他の不揮発性ソリッドステートメモリ等の不揮発性メモリを含んでもよい。いくつかの実施例では、メモリ５４はさらに、プロセッサ５２に対して遠隔に配置される、メモリを含んでもよい。これらの遠隔メモリは、ネットワークを介してＣＵ５０に接続されてもよい。前述のネットワークの実施例は、限定ではないが、インターネット、イントラネット、ローカルエリアネットワーク、モバイル通信ネットワーク、およびそれらの組み合わせを含む。
【００２２】
伝送装置５６は、ネットワークを介してデータを受信または送信するように配列される。そのようなネットワークの具体的な実施例は、ＣＵ５０の通信プロバイダによって提供される、無線ネットワークを含んでもよい。一実施例では、伝送装置５６は、基地局を介して他のネットワークデバイスに接続され、したがって、インターネットと通信することが可能であり得る、ネットワークインターフェースコントローラ（ＮＩＣ）を含む。一実施例では、伝送装置５６は、無線でインターネットと通信するように配列される、無線周波数（ＲＦ）モジュールであってもよい。
【００２３】
関連技術において、データ伝送が、複製伝送様式で実施される。複製技術を通して、ネットワーク側は、異なる接続のリンク上の複製されたデータを端末に送信し、端末にデータを受信する信頼性を提供する。しかしながら、複製技術は、追加の伝送リソースを消費する必要がある。例えば、リンクのうちの１つが非常に良好な品質であるとき、データ複製伝送機能は、非アクティブ化されてもよく、伝送は、伝送リソースを節約するために１つのリンク上でのみ実施されてもよい。別の実施例に関して、２つのリンクが、良好な品質であるとき、データ複製伝送機能は、非アクティブ化され、異なるデータが、２つのリンク上に送信され、端末トラフィックのデータ率を改良する。別の実施例に関して、リンクが、非常に不十分な品質であるとき、データ複製伝送機能は、非アクティブ化される。リンクの品質が不十分であるため、リンク上に複製されたデータを送信することは、意味を持たない。したがって、データ複製伝送機能は、ダウンリンク伝送品質の判定に従ってアクティブ化または非アクティブ化されてもよい。
【００２４】
ＣＵ／ＤＵ分離アーキテクチャでは、同一データの複製物が、ＣＵによって異なるリンクに送信される。ＣＵは、ＤＵのダウンリンク品質を随時判定することはできず、そのため、ＣＵがデータ複製伝送機能をアクティブ化させるか、または非アクティブ化させるかどうかを判定することは困難である。したがって、ＣＵ／ＤＵが分離された状況では、端末と接続される複数のリンク上の複製伝送機能をアクティブ化させるか、または非アクティブ化させるかどうかを判定する方法が、検討される必要がある。
【００２５】
ある実施形態は、上記に説明されるＣＵまたはＤＵにおいて実行されるべきデータ伝送方法を提供する。図６は、本開示のある実施形態による、データ伝送方法のフローチャートである。図６に示されるように、本方法は、下記に説明されるステップを含む。
【００２６】
Ｓ６０２では、複数のチャネルのチャネル伝送品質の測定結果が、取得される。データ複製伝送機能が、複数のチャネル上に構成され、複数のチャネル上での端末との複数の接続の確立を示すために使用される。複数の接続は、複数のチャネル上での複製されたデータの同時伝送のために使用される。
【００２７】
Ｓ６０４では、取得された測定結果に従って、データ複製伝送機能をアクティブ化させるかどうかが、判定される。
【００２８】
Ｓ６０６では、端末とのデータ伝送が、判定結果に従って、複数のチャネル上で実施される。
【００２９】
上記のステップを通して、データ複製伝送機能は、複数のチャネル上に構成され、データ複製伝送機能が必要なときにアクティブ化されるように、複数のチャネルのチャネル伝送品質の測定結果に従って、データ複製伝送機能をアクティブ化させるかどうかが判定される。したがって、リンク伝送品質は、保証され、伝送リソースの浪費が、同時に回避される。したがって、データ伝送が複製伝送様式で実施されると、伝送リソース消費が大きくなるという、関連技術における問題が、解決され、リンク伝送品質が、改良され、伝送リソース消費が、低減される。
【００３０】
随意に、上記のステップは、必ずしもではないが、ＣＵ、ＤＵ、または同等物によって実施されてもよい。
【００３１】
随意に、ステップＳ６０６は、判定結果が、データ複製伝送機能がアクティブ化されることを示す場合、端末との複製されたデータの伝送を、複数のチャネルに対応する複数の接続上で実施することを含んでもよい。すなわち、複製されたデータは、端末に送信される、または端末によって送信される複製されたデータは、複数の接続に対応する複数のチャネル上で受信される。
【００３２】
随意に、判定結果が、データ複製伝送機能がアクティブ化されることを示すとき、２つの場合、すなわち、データ複製伝送機能が、判定が実施される前にアクティブ化され、次いで、オンに保たれる場合と、データ複製伝送機能が、判定が実施される前にアクティブ化されず、次いで、アクティブ化される場合とが、含まれ得る。
【００３３】
随意に、ステップＳ６０６はさらに、判定結果が、データ複製伝送機能がアクティブ化されないことを示す場合、複数のチャネルから、端末とのデータ伝送を実施するための１つのチャネルを判定することを含んでもよい。
【００３４】
随意に、判定結果が、データ複製伝送機能がアクティブ化されないことを示すとき、２つの場合、すなわち、データ複製伝送機能が、判定が実施される前にアクティブ化され、次いで、非アクティブ化される場合と、データ複製伝送機能が、判定が実施される前に非アクティブ化され、次いで、オフに保たれる場合とが、含まれ得る。
【００３５】
随意に、判定結果が、データ複製伝送機能がアクティブ化されないことを示す場合、端末とのデータ伝送を実施するための１つのチャネルが、複数のチャネルから、多くの様式で判定されてもよい。
【００３６】
随意の様式において、チャネル伝送品質が規定された閾値より高い、第１のチャネルが、取得され、第１のチャネルに従って、端末とのデータ伝送を実施するためのチャネルが、判定される。例えば、閾値は、予め規定されてもよく、１つのチャネルのみ（すなわち、最も高いチャネル伝送品質を有するチャネル）が、閾値より高いチャネル伝送品質を有する場合、１つのチャネルが、端末とのデータ伝送を実施するためのチャネルとして判定されてもよい。複数のチャネルが、閾値より高いチャネル伝送品質を有するとき、複数のチャネルのうちの１つが、端末とのデータ伝送を実施するためのチャネルとして判定されてもよい。別の実施例に関して、複数のチャネルの中で最も高い（最良の）チャネル伝送品質を有するチャネルが、端末とのデータ伝送を実施するためのチャネルとして選択および判定されてもよい。
【００３７】
別の随意の様式では、複数のチャネルのうちの１つが、デフォルトチャネル（第２のチャネル）として予め規定されてもよく、判定結果が、データ複製伝送機能がアクティブ化されないことを示す場合、デフォルトチャネルは、端末とのデータ伝送を実施するためのチャネルとして判定される。
【００３８】
随意に、ステップＳ６０４では、データ複製伝送機能をアクティブ化させるかどうかが、多くの様式で判定されてもよい。例えば、測定結果が、複数のチャネルの全てのチャネル伝送品質が、事前設定された条件を満たすことを示す場合、データ複製伝送機能は、アクティブ化されるように判定されてもよい、または測定結果が、複数のチャネルのうちの少なくとも１つのチャネル伝送品質が、事前設定された条件を満たさないことを示す場合、データ複製伝送機能は、アクティブ化されないように判定されてもよい。事前設定された条件は、チャネル伝送品質が、第１の事前設定された閾値より高く、かつ第２の事前設定された閾値より低いことを含む。第２の事前設定された閾値は、第１の事前設定された閾値を上回る。
【００３９】
説明が、下記に行われる。第２の事前設定された閾値より高いチャネル伝送品質を有するチャネルに関して、本リンクの品質は、良好である。したがって、データ複製伝送機能は、非アクティブ化されてもよく、データは、１つのリンク上にのみ伝送される。第１の事前設定された閾値より低いチャネル伝送品質を有するチャネルに関して、本リンクの品質は、非常に不十分である。本リンク上に複製されたデータを送信することは、意味を持たず、データ複製伝送機能は、非アクティブ化されるように考慮されてもよい。随意の様式では、チャネルのチャネル伝送品質が、第１の事前設定された閾値より低いとき、チャネルはまた、無視されるように考慮されてもよく、データ複製伝送（複製されたデータの同時伝送）が、その複数のチャネルの中のチャネル以外のチャネル上で実施されてもよい。
【００４０】
随意に、ステップＳ６０２では、測定結果は、多くの様式で取得され得る。随意の様式において、ＣＵは、１つ以上のＤＵによって報告される、測定結果を受信してもよい。測定結果は、１つ以上のＤＵが、複数のチャネルのチャネル伝送品質を測定した後に取得される。例えば、同一のＤＵと端末との間の複数の接続のためのデータ複製伝送機能に関して、ＣＵは、ＤＵによって測定および送信される複数のチャネルのチャネル品質の測定結果を受信してもよい。別の実施例に関して、同一のＣＵ下の異なるＤＵと端末との間の複数の接続のためのデータ複製伝送機能に関して、ＣＵは、異なるＤＵによって測定および送信される個別のチャネルのチャネル品質の測定結果を受信してもよい。別の随意の様式では、ＤＵは、複数のチャネルのチャネル伝送品質を測定し、測定結果を取得してもよい。
【００４１】
随意に、ステップＳ６０４の後に、本方法は、ＣＵが判定結果を取得した後、ＣＵが、データ複製伝送機能をアクティブ化させるかどうかを示すための第１のインジケーションメッセージを、ＤＵに送信し得ることを含んでもよい。ＤＵは、受信された第１のインジケーションメッセージに従って、複数の接続に関連するバッファをクリアする、またはインジケーションメッセージに従って、データ複製伝送機能をアクティブ化させるかどうかを端末に通知してもよい。本方法はさらに、ＤＵが判定結果を取得した後、ＤＵが、ＣＵが、第２のインジケーションメッセージに従って対応する動作を実施する、例えば、ＣＵが、複数のチャネルに複製されたデータを送信し、かつ別の実施例に関して、ＣＵが、複数のチャネルに複製されたデータを送信することを停止するように、データ複製伝送機能をアクティブ化させるかどうかを示すための第２のインジケーションメッセージを、ＣＵに送信し得ることを含んでもよい。
【００４２】
随意に、上記の測定結果は、「リンク伝送品質異常インジケーション」または「リンク伝送品質回復インジケーション」のうちの一方であってもよい、もしくは必ずしもではないが、チャネル品質表示（ＣＱＩ）測定結果、サウンディング基準信号（ＳＲＳ）測定結果、ダウンリンクバッファデータ伝送遅延測定結果、無線リンク制御（ＲＬＣ）再伝送数測定結果、およびハイブリッド自動再送要求（ＨＡＲＱ）再伝送数測定結果のうちの１つ以上であってもよい。
【００４３】
上記の実施形態および好ましい実施形態に基づいて、かつソリューションのプロセス相互作用全体を説明するために、データ伝送方法が、好ましい実施形態において提供される。本方法は、下記に詳細に説明される。ダウンリンクデータ伝送が、好ましい実施形態におけるデータ伝送の説明のための実施例として取り上げられることに留意されたい。故に、チャネルのチャネル伝送品質は、ダウンリンクチャネルのチャネル伝送品質である。アップリンクデータ伝送は、ダウンリンクデータ伝送に類似し、そのため、繰り返しは、本明細書では行われない。
【００４４】
好ましい実施形態は、ネットワーク側が、基地局が、ＣＵ／ＤＵが分離された状況にあり、複数の接続が、端末とネットワーク側との間に提供されるとき、データ複製伝送機能（すなわち、上記に言及されるデータ複製伝送機能）をアクティブ化させるか、または非アクティブ化させるかどうかを判定する場合に適用可能である。
【００４５】
随意の様式において、好ましい実施形態におけるデータ伝送方式は、下記に説明されるステップを含んでもよい。
【００４６】
ステップ１では、ＤＵは、ダウンリンクチャネルの伝送品質を測定する（そのような測定は、必ずしもではないが、端末によって報告される、ＣＱＩ測定、ＳＲＳ測定、ダウンリンクバッファデータ伝送遅延、ＲＬＣ再伝送数、ＨＡＲＱ再伝送数測定等のうちの１つ以上を含んでもよい）。
【００４７】
ステップ２では、データ複製伝送機能が、同一のＤＵと端末との間の複数の接続の中に構成される場合、ＤＵは、端末と接続される個別の異なるリンクの測定された伝送品質に従って、ＤＵと端末との間の複数のリンク上でデータ複製伝送機能をアクティブ化させるかどうかを判定してもよい。また、ＤＵは、ＣＵに「複製インジケーション」メッセージ（前述の第２のインジケーションメッセージとして機能する）を送信する。複製の判定結果は、メッセージの中に含まれ、データ複製伝送機能がアクティブ化されるか、または非アクティブ化されるかどうかをＣＵに通知するために使用される。ＣＵは、ＤＵによって報告される、「複製インジケーション」メッセージを受信する。メッセージが、データ複製伝送機能がアクティブ化されることを示す場合、ＣＵは、端末と接続される複数のリンクに複製されたデータを送信してもよく、メッセージが、データ複製伝送機能が非アクティブ化されることを示す場合、ＣＵは、端末と接続される複数のリンクに複製されたデータを送信することを停止し、プロセスは、終了する。
【００４８】
データ複製伝送機能が、同一のＣＵ下の異なるＤＵと端末との間の複数の接続の中に構成される場合、ＤＵは、ＣＵにダウンリンクチャネル伝送品質の測定結果を報告する。各報告される測定結果は、「リンク伝送品質異常インジケーション」または「リンク伝送品質回復インジケーション」のうちの一方であってもよい、もしくは必ずしもではないが、ＣＱＩ測定結果、ＳＲＳ測定結果、ダウンリンクバッファデータ伝送遅延測定結果、ＲＬＣ再伝送数測定結果、およびＨＡＲＱ再伝送数測定結果のうちの１つ以上であってもよい。
【００４９】
ステップ３では、ＣＵは、ＤＵによって報告される、端末のダウンリンクチャネル伝送品質の結果を受信し、各リンクの品質に従って、データ複製伝送機能をアクティブ化させるか、または非アクティブ化させるかどうかを判定する。データ複製伝送機能が、アクティブ化されるように判定される場合、ＣＵは、端末と接続される複数のリンクに複製されたデータを送信してもよい。データ複製伝送機能が、非アクティブ化されるように判定される場合、ＣＵは、端末と接続される複数のリンクに複製されたデータを送信することを停止する。随意に、ＣＵは、ＤＵに「複製インジケーション」メッセージを送信してもよい。複製の判定結果は、メッセージの中に含まれ、データ複製伝送機能が、ネットワーク側上でアクティブ化されるか、または非アクティブ化されるかどうかをＤＵに通知するために使用される。
【００５０】
好ましい実施形態におけるデータ伝送方法は、具体的な実施例と併せて下記に説明されるであろう。
【００５１】
（実施例）
（実施例１）
図７は、本開示の好ましい実施形態による、ＤＵダウンリンクチャネル品質測定装置の概略図である。本装置は、ネットワーク側上でのダウンリンク複製を判定するために使用される。
【００５２】
図７に示されるように、測定装置は、ダウンリンクチャネル伝送品質の測定のために使用される。そのような測定は、必ずしもではないが、ＣＱＩ測定報告、ＳＲＳ測定、ダウンリンクバッファデータ伝送遅延、ＲＬＣ再伝送数測定、ＨＡＲＱ再伝送数測定、および同等物のうちの１つ以上を含んでもよい。測定結果は、ＤＵが、端末のトラフィックを保有する複数のリンクのデータ複製伝送機能をアクティブ化させるか、もしくは非アクティブ化させるかどうかを直接判定するために使用される、または測定結果は、ＣＵに報告され、ＣＵが、端末のトラフィックを含有する複数のリンクのデータ複製伝送機能をアクティブ化させるか、もしくは非アクティブ化させるかどうかを判定するために使用される。
【００５３】
（実施例２）
図８は、本開示の好ましい実施形態による、１つのＤＵとの複数の接続に基づく、複製伝送のフローチャート１である。実施例では、端末は、同一のＤＵと複数の接続を確立し、ダウンリンクデータを受信する。ＤＵは、データ複製伝送機能をアクティブ化させるか、または非アクティブ化させるかどうかを判定する。図８に示されるように、プロセスは、下記に説明されるステップを含む。
【００５４】
ステップ１では、ＤＵは、ダウンリンクチャネル品質を測定し、端末と接続される個別の異なるリンクの測定された伝送品質に従って、ＤＵと端末との間の複数のリンク上で複製機能（すなわち、データ複製伝送機能）をアクティブ化させるかどうかを判定する。
【００５５】
ステップ２では、ＤＵは、ＣＵに「複製インジケーション」メッセージを送信する。
【００５６】
複製機能の判定結果は、「複製インジケーション」メッセージの中に含まれ、複製機能が、アクティブ化されるか、または非アクティブ化されるかどうかをＣＵに通知するために使用される。
【００５７】
ステップ３では、ＣＵは、ＤＵによって報告される、「複製インジケーション」メッセージを受信する。複製インジケーションメッセージが、複製機能がアクティブ化されることを示す場合、ＣＵは、端末と接続される複数のリンクに複製されたデータを送信し、複製インジケーションメッセージが、複製機能が非アクティブ化されることを示す場合、ＣＵは、端末と接続される複数のリンクに複製されたデータを送信することを停止する。
【００５８】
ＣＵは、ＤＵによって報告される、「複製インジケーション」メッセージを受信する。メッセージが、複製機能がアクティブ化されることを示す場合、ＣＵは、端末と接続される複数のリンクに複製されたデータを送信してもよく、メッセージが、複製機能が非アクティブ化されることを示す場合、ＣＵは、端末と接続される複数のリンクに複製されたデータを送信することを停止する。
【００５９】
（実施例３）
図９は、本開示の好ましい実施形態による、１つのＤＵとの複数の接続に基づく、複製伝送のフローチャート２である。実施例では、端末は、同一のＤＵとの複数の接続を確立し、ダウンリンクデータを受信する。ＣＵは、データ複製伝送機能をアクティブ化させるか、または非アクティブ化させるかどうかを判定する。図９に示されるように、プロセスは、下記に説明されるステップを含む。
【００６０】
ステップ１では、ＤＵは、ダウンリンクチャネル伝送品質を測定する。
【００６１】
ステップ２では、ＤＵは、ＣＵに、端末とＤＵとの間の複数のダウンリンクリンクの品質測定結果を報告する。
【００６２】
ステップ３では、ＣＵは、各リンクの品質に従って、複製機能をアクティブ化させるか、または非アクティブ化させるかどうかを判定する。複製機能が、アクティブ化されるように判定される場合、ＣＵは、端末と接続される複数のリンクに複製されたデータを送信してもよい。複製機能が、非アクティブ化されるように判定される場合、ＣＵは、端末と接続される複数のリンクに複製されたデータを送信することを停止する。
【００６３】
ＣＵが、ＤＵによって報告される、端末のダウンリンクチャネル伝送品質結果を受信した後、ステップ３が、実施される。
【００６４】
ステップ４では、ＣＵは、ＤＵに「複製インジケーション」メッセージを送信する。複製の判定結果は、メッセージの中に含まれ、複製機能が、ネットワーク側上でアクティブ化されるか、または非アクティブ化されるかどうかをＤＵに通知するために使用される。
【００６５】
ステップ４は、随意のステップである。
【００６６】
（実施例４）
図１０は、本開示の好ましい実施形態による、１つのＣＵ下での複数のＤＵとの複数の接続に基づく、複製伝送のフローチャートである。実施例では、端末は、同一のＣＵ下で複数のＤＵとの複数の接続を確立し、ダウンリンクデータを受信する。ＣＵは、データ複製伝送機能をアクティブ化させるか、または非アクティブ化させるかどうかを判定する。図１０に示されるように、プロセスは、下記に説明されるステップを含む。
【００６７】
ステップ１では、端末は、同一のＣＵの下で複数のＤＵとの複数の接続を確立し、異なるＤＵが、端末のダウンリンクチャネル伝送品質を測定する。
【００６８】
ステップ２では、ＤＵは、ＣＵにダウンリンクチャネル伝送品質の測定結果を報告する。
【００６９】
ステップ３では、ＣＵは、異なるＤＵによって報告される、端末のダウンリンクチャネル伝送品質結果を受信し、各リンクの品質に従って、複製機能をアクティブ化させるか、または非アクティブ化させるかどうかを判定する。複製機能が、アクティブ化されるように判定される場合、ＣＵは、端末と接続される複数のリンクに複製されたデータを送信する。複製機能が、非アクティブ化されるように判定される場合、ＣＵは、端末と接続される複数のリンクに複製されたデータを送信することを停止する。
【００７０】
ステップ４では、ＣＵは、複数のＤＵに「複製インジケーション」メッセージを送信する。複製機能の判定結果は、メッセージの中に含まれ、複製機能が、ネットワーク側上でアクティブ化されるか、または非アクティブ化されるかどうかをＤＵに通知するために使用される。
【００７１】
ステップ４は、随意のステップである。
【００７２】
本開示の好ましい実施形態の上記の技術的ソリューションを用いて、ＣＵまたはＤＵは、複数の接続のための複数のチャネルのチャネル伝送品質の測定結果に従って、データ複製伝送機能が、アクティブ化される、もしくは非アクティブ化される必要があるかどうかを判定し、それによって、伝送リソースを節約する。さらに、ＣＵが、判定を実施するとき、ＣＵは、ＤＵとの相互作用を通して、ＤＵのダウンリンク品質に関して随時把握し得、次いで、データ複製伝送機能をアクティブ化させるか、または非アクティブ化させるかどうかを判定する。データ伝送が複製伝送様式で実施されると、伝送リソース消費が大きくなるという、関連技術における問題が、解決され、リンク伝送品質を改良し、伝送リソース消費を低減させる効果が、達成される。
【００７３】
上記に説明される実施形態の説明から、上記で説明される本実施形態における方法は、ソフトウェアおよび必要な汎用目的ハードウェアプラットフォームによって実装され得る、または当然ながら、ハードウェアによって実装され得ることが、当業者に明白となるであろう。しかしながら、多くの場合、前者が、好ましい実装モードである。本理解に基づいて、既存技術に実質的または部分的に寄与する、本開示によって提供されるソリューションは、ソフトウェア製品の形態で具現化され得る。コンピュータソフトウェア製品は、（読取専用メモリ（ＲＯＭ）／ランダムアクセスメモリ（ＲＡＭ）、磁気ディスク、または光ディスク等の）記憶媒体の中に記憶され、記憶媒体は、（モバイルフォン、コンピュータ、サーバ、ネットワークデバイス、もしくは同等物であり得る）端末デバイスが本開示の各実施形態に従って本方法を実施することを可能にするためのいくつかの命令を含む。
【００７４】
実施形態２
データ伝送装置、すなわち、ＣＵおよびＤＵがさらに、ある実施形態において提供される。装置および種々のユニットは、上記に言及される実施形態ならびに好ましい実施形態を実装するために使用される。説明済みであるものは、繰り返されないであろう。下記に使用されるように、用語「モジュール」は、所定の機能を実装することが可能である、ソフトウェア、ハードウェア、またはそれらの組み合わせであり得る。下記に説明される実施形態における装置は、好ましくは、ソフトウェアによって実装されるが、ハードウェアによる、またはソフトウェアとハードウェアとの組み合わせによる実装もまた、可能性として考えられ、想起される。
【００７５】
図１１は、本開示のある実施形態による、データ伝送装置の構造のブロック図１である。図１１に示されるように、本装置は、取得モジュール１１２と、判定モジュール１１４と、伝送モジュール１１６とを含む。
【００７６】
取得モジュール１１２は、複数のチャネルのチャネル伝送品質の測定結果を取得するように配列される。データ複製伝送機能が、複数のチャネル上に構成され、複数のチャネル上での端末との複数の接続の確立を示すために使用される。複数の接続は、複数のチャネル上での複製されたデータの同時伝送のために使用される。
【００７７】
判定モジュール１１４は、取得モジュール１１２に接続され、取得された測定結果に従って、データ複製伝送機能をアクティブ化させるかどうかを判定するように配列される。
【００７８】
伝送モジュール１１６は、取得モジュール１１４に接続され、判定モジュールの判定結果に従って、複数のチャネル上で端末とのデータ伝送を実施するように配列される。
【００７９】
随意に、伝送モジュール１１６は、第１の伝送ユニットを含んでもよい。第１の伝送ユニットは、下記に説明される。
【００８０】
第１の伝送ユニットは、判定結果が、データ複製伝送機能がアクティブ化されることを示す場合、端末との複製されたデータの伝送を、複数のチャネルに対応する複数の接続上で実施するように配列される。
【００８１】
随意に、伝送モジュール１１６はさらに、第２の伝送ユニットを含んでもよい。第１の伝送ユニットは、下記に説明される。
【００８２】
第２の伝送ユニットは、判定結果が、データ複製伝送機能がアクティブ化されないことを示す場合、複数のチャネルから、端末とのデータ伝送を実施するためのチャネルを判定するように配列される。
【００８３】
随意に、第２の伝送ユニットはさらに、判定結果が、データ複製伝送機能がアクティブ化されないことを示す場合、チャネル伝送品質が規定された閾値より高い、第１のチャネルを取得し、第１のチャネルに従って、端末とのデータ伝送を実施するためのチャネルを判定する、または予め規定された第２のチャネルを取得し、第２のチャネルを、端末とのデータ伝送を実施するためのチャネルとして判定するように配列される。
【００８４】
随意に、判定モジュール１１４は、下記に説明される、判定ユニットを含んでもよい。
【００８５】
判定ユニットは、測定結果が、複数のチャネルの全てのチャネル伝送品質が事前設定された条件を満たすことを示す場合、データ複製伝送機能をアクティブ化させるように判定する、または測定結果が、複数のチャネルのうちの少なくとも１つのチャネル伝送品質が事前設定された条件を満たさないことを示す場合、データ複製伝送機能をアクティブ化させないように判定するように配列される。事前設定された条件は、チャネル伝送品質が、第１の事前設定された閾値より高く、かつ第２の事前設定された閾値より低いことを含む。第２の事前設定された閾値は、第１の事前設定された閾値を上回る。
【００８６】
随意に、取得モジュール１１２は、下記に説明される、受信ユニットを含んでもよい。
【００８７】
受信ユニットは、１つ以上のＤＵによって報告される、測定結果を受信するように配列される。測定結果は１つ以上のＤＵが複数のチャネルのチャネル伝送品質を測定した後に取得される。
【００８８】
随意に、取得モジュール１１２は、下記に説明される、測定ユニットと、取得ユニットとを含んでもよい。
【００８９】
測定ユニットは、複数のチャネルのチャネル伝送品質を測定するように配列される。
【００９０】
取得ユニットは、測定ユニットに接続され、測定結果を取得するように配列される。
【００９１】
図１２は、本開示のある実施形態による、データ伝送装置の構造のブロック図２である。図１２に示されるように、装置はさらに、図１１に示されるモジュールの全てに加えて、送信モジュール１２２を含む。
【００９２】
送信モジュール１２２は、判定モジュール１１４に接続され、判定結果が取得された後、データ複製伝送機能をアクティブ化させるかどうかを示すための第１のインジケーションメッセージを、ＤＵに送信する、または判定結果が取得された後、データ複製伝送機能をアクティブ化させるかどうかを示すための第２のインジケーションメッセージを、ＣＵに送信するように配列される。
【００９３】
図１３は、本開示のある実施形態による、ＣＵの構造のブロック図である。図１３に示されるように、ＤＵは、任意の上記に言及される実施形態において説明される、データ伝送装置１３２を含む。
【００９４】
随意に、ＣＵはさらに、１つ以上のＤＵによって報告される、測定結果を受信するように配列される、受信ユニットを含んでもよい。測定結果は、１つ以上のＤＵが複数のチャネルのチャネル伝送品質を測定した後に取得される。
【００９５】
随意に、受信ユニットは、ＣＵのデータ伝送装置の取得モジュールの中に位置してもよい。
【００９６】
随意に、ＣＵはさらに、判定結果が取得された後、データ複製伝送機能をアクティブ化させるかどうかを示すためのインジケーションメッセージを、ＤＵに送信するように配列される、送信モジュールを含んでもよい。
【００９７】
図１４は、本開示のある実施形態による、ＤＵの構造のブロック図である。図１４に示されるように、ＤＵは、任意の上記に言及される実施形態において説明される、データ伝送装置１４２を含む。
【００９８】
随意に、ＤＵはさらに、複数のチャネルのチャネル伝送品質を測定するように配列される、測定ユニットと、測定結果を取得するように配列される、取得ユニットとを含んでもよい。
【００９９】
随意に、測定ユニットおよび取得ユニットは、ＤＵのデータ伝送装置の取得モジュールの中に位置してもよい。
【０１００】
随意に、ＤＵはさらに、判定結果が取得された後、データ複製伝送機能をアクティブ化させるかどうかを示すためのインジケーションメッセージを、ＣＵに送信するように配列される、送信モジュールを含んでもよい。
【０１０１】
上記に説明される種々のモジュールは、ソフトウェアまたはハードウェアによって実装され得ることに留意されたい。ハードウェアによる実装は、必ずしもではないが、以下の様式、すなわち、上記に説明される種々のモジュールは、同一のプロセッサの中に位置すること、または上記に説明される種々のモジュールは、異なるプロセッサの中に、任意の組み合わせ形態で位置することで実施され得る。
【０１０２】
実施形態３
本開示のある実施形態はさらに、記憶媒体を提供する。記憶媒体は、実行されているとき、上記に言及される方法のいずれかを実施する、記憶されたプログラムを含む。
【０１０３】
随意に、実施形態では、記憶媒体は、下記に説明されるステップを実施するためのプログラムコードを記憶するように配列されてもよい。
【０１０４】
Ｓ１では、複数のチャネルのチャネル伝送品質の測定結果が、取得される。データ複製伝送機能が、複数のチャネル上に構成され、複数のチャネル上での端末との複数の接続の確立を示すために使用される。複数の接続は、複数のチャネル上での複製されたデータの同時伝送のために使用される。
【０１０５】
Ｓ２では、取得された測定結果に従って、データ複製伝送機能をアクティブ化させるかどうかが、判定される。
【０１０６】
Ｓ３では、端末とのデータ伝送が、判定結果に従って、複数のチャネル上で実施される。
【０１０７】
随意に、記憶媒体はさらに、下記に説明されるステップを実施するためのプログラムコードを記憶するように配列される。
【０１０８】
判定結果に従って、複数のチャネル上で端末とのデータ伝送を実施するステップは、下記に説明されるステップを含む。
【０１０９】
判定結果が、データ複製伝送機能がアクティブ化されることを示す場合、端末との複製されたデータの伝送が、複数のチャネルに対応する複数の接続上で実施される。
【０１１０】
随意に、記憶媒体はさらに、下記に説明されるステップを実施するためのプログラムコードを記憶するように配列される。
【０１１１】
判定結果に従って、複数のチャネル上で端末とのデータ伝送を実施するステップは、下記に説明されるステップを含む。
【０１１２】
判定結果が、データ複製伝送機能がアクティブ化されないことを示す場合、端末とのデータ伝送を実施するためのチャネルが、複数のチャネルから判定される。
【０１１３】
随意に、記憶媒体はさらに、下記に説明されるステップを実施するためのプログラムコードを記憶するように配列される。
【０１１４】
判定結果が、データ複製伝送機能がアクティブ化されないことを示す場合、複数のチャネルから、端末とのデータ伝送を実施するためのチャネルを判定するステップは、下記に説明されるステップを含む。
【０１１５】
Ｓ１では、チャネル伝送品質が規定された閾値より高い、第１のチャネルが、取得され、第１のチャネルに従って、端末とのデータ伝送を実施するためのチャネルが、判定される。
【０１１６】
または、Ｓ２では、予め規定された第２のチャネルが、取得され、第２のチャネルは、端末とのデータ伝送を実施するためのチャネルとして判定される。
【０１１７】
随意に、記憶媒体はさらに、下記に説明されるステップを実施するためのプログラムコードを記憶するように配列される。
【０１１８】
取得された測定結果に従って、データ複製伝送機能をアクティブ化させるかどうかを判定するステップは、下記に説明されるステップを含む。
【０１１９】
Ｓ１では、測定結果が、複数のチャネルの全てのチャネル伝送品質が事前設定された条件を満たすことを示す場合、データ複製伝送機能は、アクティブ化されるように判定される。
【０１２０】
またはＳ２では、測定結果が、複数のチャネルのうちの少なくとも１つのチャネル伝送品質が事前設定された条件を満たさないことを示す場合、データ複製伝送機能は、アクティブ化されないように判定される。
【０１２１】
事前設定された条件は、チャネル伝送品質が、第１の事前設定された閾値より高く、かつ第２の事前設定された閾値より低いことを含む。第２の事前設定された閾値は、第１の事前設定された閾値を上回る。
【０１２２】
随意に、記憶媒体はさらに、下記に説明されるステップを実施するためのプログラムコードを記憶するように配列される。
【０１２３】
複数のチャネルのチャネル伝送品質の測定結果を取得するステップは、下記に説明されるステップを含む。
【０１２４】
Ｓ１では、ＣＵが、１つ以上のＤＵによって報告される、測定結果を受信する。測定結果は、１つ以上のＤＵが複数のチャネルのチャネル伝送品質を測定した後に取得される。
【０１２５】
またはＳ２では、ＤＵが、複数のチャネルのチャネル伝送品質を測定し、ＤＵは、測定結果を取得する。
【０１２６】
随意に、記憶媒体はさらに、下記に説明されるステップを実施するためのプログラムコードを記憶するように配列される。
【０１２７】
複数のチャネルのチャネル伝送品質の測定結果を取得するステップは、下記に説明されるステップを含む。
【０１２８】
取得された測定結果に従ってデータ複製伝送機能をアクティブ化させるかどうかを判定するステップの後、本方法はさらに、下記に説明されるステップを含む。
【０１２９】
Ｓ１では、ＣＵが判定結果を取得した後、ＣＵは、データ複製伝送機能をアクティブ化させるかどうかを示すための第１のインジケーションメッセージを、ＤＵに送信する。
【０１３０】
またはＳ２では、ＤＵが判定結果を取得した後、ＤＵは、データ複製伝送機能をアクティブ化させるかどうかを示すための第２のインジケーションメッセージを、ＣＵに送信する。
【０１３１】
随意に、ある実施形態では、記憶媒体は、限定ではないが、ＵＳＢフラッシュディスク、読取専用メモリ（ＲＯＭ）、ランダムアクセスメモリ（ＲＡＭ）、モバイルハードディスク、磁気ディスク、光ディスク、またはプログラムコードを記憶することが可能である、別の媒体を含んでもよい。
【０１３２】
本開示のある実施形態はさらに、プロセッサを提供する。プロセッサは、実行されているとき、任意の上記に言及される方法のステップを実施する、プログラムを実行するように構成される。
【０１３３】
随意に、ある実施形態では、上記に説明されるプログラムは、下記に説明されるステップを実施するために使用される。
【０１３４】
Ｓ１では、複数のチャネルのチャネル伝送品質の測定結果が、取得される。データ複製伝送機能が、複数のチャネル上に構成され、複数のチャネル上での端末との複数の接続の確立を示すために使用される。複数の接続は、複数のチャネル上での複製されたデータの同時伝送のために使用される。
【０１３５】
Ｓ２では、取得された測定結果に従って、データ複製伝送機能をアクティブ化させるかどうかが、判定される。
【０１３６】
Ｓ３では、端末とのデータ伝送が、判定結果に従って、複数のチャネル上で実施される。
【０１３７】
随意に、ある実施形態では、上記に説明されるプログラムは、下記に説明されるステップを実施するために使用される。
【０１３８】
判定結果に従って、複数のチャネル上で端末とのデータ伝送を実施するステップは、下記に説明されるステップを含む。
【０１３９】
判定結果が、データ複製伝送機能がアクティブ化されることを示す場合、端末との複製されたデータの伝送が、複数のチャネルに対応する複数の接続上で実施される。
【０１４０】
随意に、ある実施形態では、上記に説明されるプログラムは、下記に説明されるステップを実施するために使用される。
【０１４１】
判定結果に従って、複数のチャネル上で端末とのデータ伝送を実施するステップは、下記に説明されるステップを含む。
【０１４２】
判定結果が、データ複製伝送機能がアクティブ化されないことを示す場合、複数のチャネルから、端末とのデータ伝送を実施するためのチャネルが、判定される。
【０１４３】
随意に、ある実施形態では、上記に説明されるプログラムは、下記に説明されるステップを実施するために使用される。
【０１４４】
判定結果が、データ複製伝送機能がアクティブ化されないことを示す場合、複数のチャネルから、端末とのデータ伝送を実施するためのチャネルを判定するステップは、下記に説明されるステップを含む。
【０１４５】
Ｓ１では、チャネル伝送品質が規定された閾値より高い、第１のチャネルが、取得され、第１のチャネルに従って、端末とのデータ伝送を実施するためのチャネルが、判定される。
【０１４６】
または、Ｓ２では、予め規定された第２のチャネルが、取得され、第２のチャネルは、端末とのデータ伝送を実施するためのチャネルとして判定される。
【０１４７】
随意に、ある実施形態では、上記に説明されるプログラムは、下記に説明されるステップを実施するために使用される。
【０１４８】
取得された測定結果に従って、データ複製伝送機能をアクティブ化させるかどうかを判定するステップは、下記に説明されるステップを含む。
【０１４９】
Ｓ１では、測定結果が、複数のチャネルの全てのチャネル伝送品質が事前設定された条件を満たすことを示す場合、データ複製伝送機能は、アクティブ化されるように判定される。
【０１５０】
またはＳ２では、測定結果が、複数のチャネルのうちの少なくとも１つのチャネル伝送品質が事前設定された条件を満たさないことを示す場合、データ複製伝送機能は、アクティブ化されないように判定される。
【０１５１】
事前設定された条件は、チャネル伝送品質が、第１の事前設定された閾値より高く、かつ第２の事前設定された閾値より低いことを含む。第２の事前設定された閾値は、第１の事前設定された閾値を上回る。
【０１５２】
随意に、ある実施形態では、上記に説明されるプログラムは、下記に説明されるステップを実施するために使用される。
【０１５３】
複数のチャネルのチャネル伝送品質の測定結果を取得するステップは、下記に説明されるステップを含む。
【０１５４】
Ｓ１では、ＣＵが、１つ以上のＤＵによって報告される、測定結果を受信する。測定結果は、１つ以上のＤＵが複数のチャネルのチャネル伝送品質を測定した後に取得される。
【０１５５】
またはＳ２では、ＤＵが、複数のチャネルのチャネル伝送品質を測定し、ＤＵは、測定結果を取得する。
【０１５６】
随意に、ある実施形態では、上記に説明されるプログラムは、下記に説明されるステップを実施するために使用される。
【０１５７】
複数のチャネルのチャネル伝送品質の測定結果を取得するステップは、下記に説明されるステップを含む。
【０１５８】
取得された測定結果に従ってデータ複製伝送機能をアクティブ化させるかどうかを判定するステップの後、本方法はさらに、下記に説明されるステップを含む。
【０１５９】
Ｓ１では、ＣＵが判定結果を取得した後、ＣＵは、データ複製伝送機能をアクティブ化させるかどうかを示すための第１のインジケーションメッセージを、ＤＵに送信する。
【０１６０】
またはＳ２では、ＤＵが判定結果を取得した後、ＤＵは、データ複製伝送機能をアクティブ化させるかどうかを示すための第２のインジケーションメッセージを、ＣＵに送信する。
【０１６１】
随意に、実施形態における具体的な実施例に関して、上記に言及される実施形態および随意の実施形態に説明される実施例が、参照され得、繰り返しは、実施形態では行われないであろう。
【０１６２】
明らかなこととして、本開示の上記に言及されるモジュールまたはステップはそれぞれ、汎用目的コンピューティング装置によって実装され得、モジュールまたはステップは、単一のコンピューティング装置上に集中される、もしくは複数のコンピューティング装置から構成されるネットワーク上に分散され得、代替として、モジュールまたはステップは、モジュールまたはステップが、記憶装置の中に記憶され、コンピューティング装置によって実行され得るように、コンピューティング装置によって実行可能なプログラムコードによって実装され得ることが、当業者によって理解されるはずである。いくつかの状況では、例証または説明されるステップは、本明細書に説明されるものと異なるシーケンスで実行されてもよい、もしくはモジュールまたはステップは、別個に種々の集積回路モジュールに作製されてもよい、もしくはその中の複数のモジュールまたはステップは、実装のために単一の集積回路モジュールに作製されてもよい。このように、本開示は、ハードウェアとソフトウェアとのいかなる具体的な組み合わせにも限定されない。
【０１６３】
上記は、本開示の好ましい実施形態にすぎず、本開示を限定するように意図されておらず、当業者のために、本開示は、種々の修正および変形例を有し得る。本開示の原理の範囲内のいかなる修正、均等な代替物、改良、および同等物も、本開示の範囲内にあるものとする。
【図１】
2021503807.tif 000003
【図２】
2021503807.tif 000004
【図３】
2021503807.tif 000005
【図４】
2021503807.tif 000006
【図５】
2021503807.tif 000007
【図６】
2021503807.tif 000008
【図７】
2021503807.tif 000009
【図８】
2021503807.tif 000010
【図９】
2021503807.tif 000011
【図１０】
2021503807.tif 000012
【図１１】
2021503807.tif 000013
【図１２】
2021503807.tif 000014
【図１３】
2021503807.tif 000015
【図１４】
2021503807.tif 000016
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
データ伝送方法であって、
複数のチャネルのチャネル伝送品質の測定結果を取得することであって、データ複製伝送機能が、前記複数のチャネル上での複製されたデータの伝送を支持するために、前記複数のチャネル上に構成される、ことと、
前記取得された測定結果に従って、前記データ複製伝送機能をアクティブ化させるかどうかを判定することと、
前記判定に従って、前記複数のチャネル上で端末とのデータ伝送を実施することと
を含む、データ伝送方法。
【請求項２】
前記判定に従って、前記複数のチャネル上で前記端末との前記データ伝送を実施することは、前記データ複製伝送機能がアクティブ化される場合、前記端末との前記複製されたデータの伝送を、前記複数のチャネル上で実施することを含む、請求項１に記載のデータ伝送方法。
【請求項３】
前記判定に従って、前記複数のチャネル上で前記端末との前記データ伝送を実施することは、前記データ複製伝送機能がアクティブ化されない場合、前記複数のチャネルから、前記端末との前記データ伝送を実施するためのチャネルを判定することを含む、請求項１に記載のデータ伝送方法。
【請求項４】
前記複数のチャネルのチャネル伝送品質の前記測定結果を取得することは、第１のノードによって、１つ以上の第２のノードから前記測定結果を受信することを含み、前記測定結果は、前記１つ以上の第２のノードが、前記複数のチャネルのチャネル伝送品質を測定した後に取得される、請求項１に記載のデータ伝送方法。
【請求項５】
第１のノードによって、第２のノードから前記データ複製伝送機能をアクティブ化させるかどうかのインジケーションを受信することをさらに含む、請求項１に記載のデータ伝送方法。
【請求項６】
前記測定結果の各々は、チャネル品質表示（ＣＱＩ）またはハイブリッド自動再送要求（ＨＡＲＱ）再伝送数のうちの少なくとも１つを含む、請求項１に記載のデータ伝送方法。
【請求項７】
データ伝送装置であって、
少なくとも１つのプロセッサを備え、
前記少なくとも１つのプロセッサは、
複数のチャネルのチャネル伝送品質の測定結果を取得することであって、データ複製伝送機能が、前記複数のチャネル上での複製されたデータの伝送を支持するために、前記複数のチャネル上に構成される、ことと、
前記取得された測定結果に従って、前記データ複製伝送機能をアクティブ化させるかどうかを判定することと、
前記判定に従って、前記複数のチャネル上で端末とのデータ伝送を実施することと
を行うように構成されている、データ伝送装置。
【請求項８】
前記少なくとも１つのプロセッサは、前記データ複製伝送機能がアクティブ化される場合、前記端末との前記複製されたデータの伝送を、前記複数のチャネル上で実施するように構成されている、請求項７に記載のデータ伝送装置。
【請求項９】
前記少なくとも１つのプロセッサは、前記データ複製伝送機能がアクティブ化されない場合、前記複数のチャネルから、前記端末との前記データ伝送を実施するためのチャネルを判定するように構成されている、請求項７に記載のデータ伝送装置。
【請求項１０】
前記測定結果の各々は、チャネル品質表示（ＣＱＩ）またはハイブリッド自動再送要求（ＨＡＲＱ）再伝送数のうちの少なくとも１つを含む、請求項７に記載のデータ伝送装置。
【請求項１１】
前記少なくとも１つのプロセッサは、１つ以上のノードから前記測定結果を受信するように構成され、前記測定結果は、前記１つ以上のノードが前記複数のチャネルのチャネル伝送品質を測定した後に取得される、請求項７に記載のデータ伝送装置。
【請求項１２】
前記少なくとも１つのプロセッサは、ノードから前記データ複製伝送機能をアクティブ化させるかどうかのインジケーションを受信するように構成されている、請求項７に記載のデータ伝送装置。
【請求項１３】
前記データ伝送装置は、集中型ユニット（ＣＵ）を備える、請求項７〜１２のいずれか１項に記載のデータ伝送装置。
【請求項１４】
前記データ伝送装置は、集中型ユニット（ＣＵ）を備え、前記１つ以上のノードの各々は、分散型ユニット（ＤＵ）を備える、請求項１１に記載のデータ伝送装置。
【請求項１５】
前記データ伝送装置は、集中型ユニット（ＣＵ）を備え、前記ノードは、分散型ユニット（ＤＵ）を備える、請求項１２に記載のデータ伝送装置。
【請求項１６】
非一時的な記憶媒体であって、実行されているとき、請求項１〜６のいずれか１項に記載のデータ伝送方法を実施する、記憶されたプログラムを含む、非一時的な記憶媒体。
【手続補正２】
【補正対象書類名】明細書
【補正対象項目名】００１５
【補正方法】変更
【補正の内容】
【００１５】
本開示を通して、データ複製伝送機能は、複数のチャネル上に構成され、データ複製伝送機能が必要なときにアクティブ化されるように、複数のチャネルのチャネル伝送品質の測定結果に従って、データ複製伝送機能をアクティブ化させるかどうかが判定される。したがって、リンク伝送品質は、保証され、伝送リソースの浪費が、同時に回避される。したがって、データ伝送が複製伝送様式で実施されると、伝送リソース消費が大きくなるという、関連技術における問題が、解決され得、リンク伝送品質を改良し、伝送リソース消費を低減させる効果が、達成される。
本願明細書は、例えば、以下の項目も提供する。
（項目１）
データ伝送方法であって、
複数のチャネルのチャネル伝送品質の測定結果を取得することであって、データ複製伝送機能が、前記複数のチャネル上に構成され、前記複数のチャネル上での端末との複数の接続の確立を示すために使用され、前記複数の接続は、前記複数のチャネル上での複製されたデータの同時伝送のために使用される、ことと、
前記取得された測定結果に従って、前記データ複製伝送機能をアクティブ化させるかどうかを判定することと、
判定結果に従って、前記複数のチャネル上で前記端末とのデータ伝送を実施することと
を含む、データ伝送方法。
（項目２）
前記判定結果に従って、前記複数のチャネル上で前記端末との前記データ伝送を実施することは、前記判定結果が、前記データ複製伝送機能がアクティブ化されることを示す場合、前記端末との前記複製されたデータの伝送を、前記複数のチャネルに対応する前記複数の接続上で実施することを含む、項目１に記載のデータ伝送方法。
（項目３）
前記判定結果に従って、前記複数のチャネル上で前記端末との前記データ伝送を実施することは、前記判定結果が、前記データ複製伝送機能がアクティブ化されないことを示す場合、前記複数のチャネルから、前記端末との前記データ伝送を実施するためのチャネルを判定することを含む、項目１に記載のデータ伝送方法。
（項目４）
前記判定結果が、前記データ複製伝送機能がアクティブ化されないことを示す場合、前記複数のチャネルから、前記端末との前記データ伝送を実施するための前記チャネルを判定することは、
チャネル伝送品質が規定された閾値より高い、第１のチャネルを取得することと、前記第１のチャネルに従って、前記端末との前記データ伝送を実施するためのチャネルを判定することと、または
予め規定された第２のチャネルを取得することと、前記第２のチャネルを、前記端末との前記データ伝送を実施するための前記チャネルとして判定することと
を含む、項目３に記載のデータ伝送方法。
（項目５）
前記取得された測定結果に従って、前記データ複製伝送機能をアクティブ化させるかどうかを判定することは、
前記測定結果が、前記複数のチャネルの全てのチャネル伝送品質が、事前設定された条件を満たすことを示す場合、前記データ複製伝送機能をアクティブ化させるように判定すること、または
前記測定結果が、前記複数のチャネルのうちの少なくとも１つのチャネル伝送品質が、前記事前設定された条件を満たさないことを示す場合、前記データ複製伝送機能をアクティブ化させないように判定すること
を含み、
前記事前設定された条件は、前記チャネル伝送品質が、第１の事前設定された閾値より高く、かつ第２の事前設定された閾値より低い条件を含み、前記第２の事前設定された閾値は、前記第１の事前設定された閾値を上回る、項目１に記載のデータ伝送方法。
（項目６）
前記複数のチャネルのチャネル伝送品質の測定結果を取得することは、
集中型ユニット（ＣＵ）によって、１つ以上の分散型ユニット（ＤＵ）によって報告される、前記測定結果を受信することであって、前記測定結果は、前記１つ以上のＤＵが、前記複数のチャネルのチャネル伝送品質を測定した後に取得される、こと、または
ＤＵによって、前記複数のチャネルのチャネル伝送品質を測定することと、前記ＤＵによって、前記測定結果を取得することと
を含む、項目１に記載のデータ伝送方法。
（項目７）
前記取得された測定結果に従って、前記データ複製伝送機能をアクティブ化させるかどうかを判定することの後に、前記データ伝送方法はさらに、
集中型ユニット（ＣＵ）が前記判定結果を取得した後、前記ＣＵによって、前記データ複製伝送機能をアクティブ化させるかどうかを示すための第１のインジケーションメッセージを、分散型ユニット（ＤＵ）に送信すること、または
ＤＵが前記判定結果を取得した後、前記ＤＵによって、前記データ複製伝送機能をアクティブ化させるかどうかを示すための第２のインジケーションメッセージを、ＣＵに送信すること
を含む、項目１に記載のデータ伝送方法。
（項目８）
各測定結果は、チャネル品質表示（ＣＱＩ）測定結果と、サウンディング基準信号（ＳＲＳ）測定結果と、ダウンリンクバッファデータ伝送遅延測定結果と、無線リンク制御（ＲＬＣ）再伝送数測定結果と、ハイブリッド自動再送要求（ＨＡＲＱ）再伝送数測定結果とのうちの少なくとも１つを含む、項目１〜７のいずれか１項に記載のデータ伝送方法。
（項目９）
データ伝送装置であって、
複数のチャネルのチャネル伝送品質の測定結果を取得するように構成される、取得モジュールであって、データ複製伝送機能が、前記複数のチャネル上に構成され、前記複数のチャネル上での端末との複数の接続の確立を示すために使用され、前記複数の接続は、前記複数のチャネル上での複製されたデータの同時伝送のために使用される、取得モジュールと、
前記取得された測定結果に従って、前記データ複製伝送機能をアクティブ化させるかどうかを判定するように構成される、判定モジュールと、
前記判定モジュールの判定結果に従って、前記複数のチャネル上で前記端末とのデータ伝送を実施するように構成される、伝送モジュールと
を備える、データ伝送装置。
（項目１０）
前記伝送モジュールは、前記判定結果が、前記データ複製伝送機能がアクティブ化されることを示す場合、前記端末との前記複製されたデータの伝送を、前記複数のチャネルに対応する前記複数の接続上で実施するように構成される、第１の伝送ユニットを備える、項目９に記載のデータ伝送装置。
（項目１１）
前記伝送モジュールは、前記判定結果が、前記データ複製伝送機能がアクティブ化されないことを示す場合、前記複数のチャネルから、前記端末との前記データ伝送を実施するためのチャネルを判定するように構成される、第２の伝送ユニットを備える、項目９に記載のデータ伝送装置。
（項目１２）
前記第２の伝送ユニットはさらに、前記判定結果が、前記データ複製伝送機能がアクティブ化されないことを示す場合、チャネル伝送品質が規定された閾値より高い、第１のチャネルを取得し、前記第１のチャネルに従って、前記端末との前記データ伝送を実施するためのチャネルを判定する、または予め規定された第２のチャネルを取得し、前記第２のチャネルを、前記端末との前記データ伝送を実施するための前記チャネルとして判定するように構成される、項目１１に記載のデータ伝送装置。
（項目１３）
前記判定モジュールは、前記測定結果が、前記複数のチャネルの全てのチャネル伝送品質が事前設定された条件を満たすことを示す場合、前記データ複製伝送機能をアクティブ化させるように判定する、または前記測定結果が、前記複数のチャネルのうちの少なくとも１つのチャネル伝送品質が前記事前設定された条件を満たさないことを示す場合、前記データ複製伝送機能をアクティブ化させないように判定するように構成される、判定ユニットを備え、前記事前設定された条件は、前記チャネル伝送品質が、第１の事前設定された閾値より高く、かつ第２の事前設定された閾値より低い、条件を含み、前記第２の事前設定された閾値は、前記第１の事前設定された閾値を上回る、項目９に記載のデータ伝送装置。
（項目１４）
前記取得モジュールは、
１つ以上の分散型ユニット（ＤＵ）によって報告される、前記測定結果を受信するように構成される、受信ユニットであって、前記測定結果は、前記１つ以上のＤＵが前記複数のチャネルのチャネル伝送品質を測定した後に取得される、受信ユニット、または
前記複数のチャネルのチャネル伝送品質を測定するように構成される、測定ユニットと、前記測定結果を取得するように構成される、取得ユニットと
を備える、項目９に記載のデータ伝送装置。
（項目１５）
前記判定結果が取得された後、前記データ複製伝送機能をアクティブ化させるかどうかを示すための第１のインジケーションメッセージを、分散型ユニット（ＤＵ）に送信する、または前記判定結果が取得された後、前記データ複製伝送機能をアクティブ化させるかどうかを示すための第２のインジケーションメッセージを、集中型ユニット（ＣＵ）に送信するように構成される、送信モジュールをさらに備える、項目９に記載のデータ伝送装置。
（項目１６）
集中型ユニット（ＣＵ）であって、項目９〜１３のいずれか１項に記載のデータ伝送装置を備える、集中型ユニット（ＣＵ）。
（項目１７）
１つ以上の分散型ユニット（ＤＵ）によって報告される、前記測定結果を受信するように構成される、受信ユニットをさらに備え、前記測定結果は、前記１つ以上のＤＵが前記複数のチャネルのチャネル伝送品質を測定した後に取得される、項目１６に記載のＣＵ。
（項目１８）
前記判定結果が取得された後、前記データ複製伝送機能をアクティブ化させるかどうかを示すためのインジケーションメッセージを、分散型ユニット（ＤＵ）に送信するように構成される、送信モジュールをさらに備える、項目１６に記載のＣＵ。
（項目１９）
分散型ユニット（ＤＵ）であって、項目９〜１３のいずれか１項に記載のデータ伝送装置を備える、分散型ユニット（ＤＵ）。
（項目２０）
前記複数のチャネルのチャネル伝送品質を測定するように構成される、測定ユニットと、
前記測定結果を取得するように構成される、取得ユニットと
をさらに備える、項目１９に記載のＤＵ。
（項目２１）
前記判定結果が取得された後、前記データ複製伝送機能をアクティブ化させるかどうかを示すためのインジケーションメッセージを、集中型ユニット（ＣＵ）に送信するように構成される、送信モジュールをさらに備える、項目１９に記載のＤＵ。
（項目２２）
記憶媒体であって、実行されているとき、項目１〜８のいずれか１項に記載のデータ伝送方法を実施する、記憶されたプログラムを含む、記憶媒体。
（項目２３）
プロセッサであって、実行されているとき、項目１〜８のいずれか１項に記載のデータ伝送方法を実施する、プログラムを実行するように構成される、プロセッサ。
【国際調査報告】
2021503807.tif 000017
2021503807.tif 000018
2021503807.tif 000019
2021503807.tif 000020